(57)【要約】【課題】  定電流駆動のシングルケーブル電源重畳方式のカメラで駆動電流値の高いカメラを検出し、従来の電流値の大きいカメラを誤って接続した時にカメラの故障に至らないように保護する回路を実現する。【解決手段】  電源部から供給される定電流の値を定電流値検出回路で検出し、大小２種の定電流値の内で、大きい方が検出されたときは、時定数回路により電子スイッチをオフにするようにし、これにより、カメラの電源がオン、オフを繰り返し、このことがモニタの画像により認識できるようにした。  また、電流検出用の比較器のかわりに、一定電流以上の電流が供給された時、出力端子の直流電圧が上昇するように、簡単な電圧比較器で過電圧を検出して最終的にカメラ電源への電源供給を遮断するようにし、安価な回路で保護回路を構成した。【選択図】  図１
2005229271.tif 000002
【特許請求の範囲】
【請求項１】
撮像部と電源分離部及び電源部を備え、前記電源部の定電流源から映像信号伝送用の線路を介して前記カメラ部に直流電力を供給する方式の撮像システムにおいて、
前記電源分離部に、前記撮像部に供給される定電流値を検出する電流検出比較回路と、前記電流検出比較回路の出力により動作する時定数回路と、前記時定数回路の出力信号により動作するスイッチ回路を設け、
前記電流検出比較回路は、前記撮像部に供給される定電流値が予め設定して所定の基準電流値を越えたとき検知信号を発生し、前記時定数回路は、前記検知信号が入力されたときから所定時間が経過するまで前記出力信号を発生し、前記スイッチ回路は、前記出力信号が入力されたとき前記カメラ部に対する電力の供給を遮断することを特徴とする撮像システム。
【請求項２】
請求項１に記載の撮像システムにおいて、
前記電源部が、前記線路の電圧を検出する電圧検出回路と、前記定電流値を大小２種に切換える定電流値切換回路を備え、
前記電圧検出回路は、前記線路の電圧が所定の周期で変化したとき切換信号を発生し、前記定電流値切換回路は、前記切換信号が発生したとき、前記定電流値を前記大小２種の内の小さい方に切換えることを特徴とする撮像システム。
【請求項３】
撮像部と電源分離部と電源部を備え、前記電源部の定電流源から映像信号伝送用の線路を介して前記撮像部に直流電力を供給する方式の撮像システムにおいて、
前記電源分離部に、前記撮像部に供給される定電流値が任意に設定した電流以上で電流制限する電流制限回路と、前記撮像部の映像出力兼電源入力端子の電圧を任意に設定した電圧と比較する比較回路と、その比較結果が比較電圧を超えた時、前記撮像部への電力供給を停止する遮断回路からなることを特徴とする撮像システム。
【発明の詳細な説明】
【技術分野】
【０００１】
本発明は映像信号伝送用同軸ケーブルに撮像装置の電源を重畳するシングルケーブル方式撮像装置システムに関わり、特に、撮像装置の電源部の改良に関するものである。
【背景技術】
【０００２】
従来から、工事が簡単で安価に設置できることから、映像信号伝送用の同軸ケーブルなどの線路に撮像装置の電源を重畳するようにした、いわゆるシングルケーブル方式のシステムが近年広く普及している。このようなシステムは、特に監視用途等に使われ、また撮像装置としては、リアルタイムまたは記録された映像を動画像で監視するため、テレビジョンカメラが使用されることが多い（例えば、先行特許文献１参照。）。
【０００３】
図６は、従来のシングルケーブル方式のテレビジョンカメラシステムの一例を示す図である。このシステムは、撮像装置（以下、TV（テレビジョン）カメラと称する）1 と電源分離部 2 、同軸ケーブル 3 、電源部 4 を用い、この電源部 4 から同軸ケーブル 3 を介して電圧 V1 の直流電力を TV カメラ 1 に供給するようにしたものである。なお、同軸ケーブル 3 は、ケーブル長が長いため、省略形で描いている。
【０００４】
図６において、まず TV カメラ 1 から出力された映像信号 S は、交流結合用のコンデンサ 5 を介して端子 6 に供給された後、同軸ケーブル 3 を経由して電源部 4 の端子 7 に伝送される。
そして映像信号 S は、電源部 4 の端子 7 から交流結合用のコンデンサ 8 と増幅器 9 を経由して映像出力コネクタ 10 に供給される。これによって TV カメラ 1 が取得した映像が、映像出力コネクタ 10 から図示してない機器に接続されるようになっている。映像出力コネクタ 10 から接続される機器は、例えば、映像モニタがあり、映像モニタは、TV カメラ 1 が取得した映像を表示する。
【０００５】
また、電源部 4 には、電流決定用抵抗 11 とトランジスタ 12 で構成された定電流回路があり、この定電流回路により、例えば電圧 35 V の直流電源 VCC から端子 7 と同軸ケーブル 3 を介して TV カメラ側の電源分離部 2 に定電流 I が供給される。そして、このとき TV カメラ側では、コンデンサ 5 が、そして電源部側ではコンデンサ 8 が、それぞれ、直流電圧を阻止し、不要な部分には直流が流れない。
【０００６】
この結果、電源分離部 2 のトランジスタ 14 と抵抗 15 、コンデンサ 16 、及びシャントレギュレータ 17 で構成された定電圧回路により、電源部 4 から供給された定電流 I から、例えば電圧 20 V の一定の電圧 V1 に変換された直流電圧 ECC が TV カメラ 1 に供給され、これにより、TV カメラ 1 の撮像動作が保証される。
【０００７】
このとき、電源部 4 の定電流回路から供給される定電流 I の値は、TV カメラ 1 の消費分の最大値に余裕分を含めて、例えば 205 mA に設定されている。このため、どんな TV カメラも、仕様として一応は 205 mA 以上とならないような消費電流に抑えた設計がなされている。
【０００８】
ところで近年は、撮像装置の低消費電力化が進み、TV カメラ 1 が必要とする電流値も、例えば 130 mA とかなり低減されてきている。従って、このような仕様の TV カメラを使用した場合には、電源部 4 から供給される電流値 205 mA の内、75 mA はシャントレギュレータ 17 で消費されてしまうことになり、大きな発熱が生ずる。
【０００９】
つまり、TV カメラ 1 の消費電力がいくら低減できたとしても、TV カメラ側の消費電力としては変わりなく、無駄に電力が消費されてしまうばかりか、シャントレギュレータ 17 に大電流が流れるので、発熱が著しくなり、最悪の場合には故障する。
【００１０】
そこで、従来は、図６から改良を加え、図７に示すように、抵抗 20 及び 21 と、手動のスイッチ 22 を追加して、定電流回路から供給される定電流値が切換えられるようにした電源部 4′とし、これにより、例えば、205 mA 仕様の TV カメラ と 160 mA 仕様の TV カメラの双方に適切に対応できるようにしていた。なお、160 mA 仕様とした理由は、上記した 130 mA に余裕を見ているからである。なお、図６に記載した映像モニタ 18 等の外部接続機器は省略した。
【００１１】
ここで、この図７の電源部 4 では、抵抗 20 は、160 mA の定電流に対応した抵抗値 R160 にしてあり、抵抗 21（抵抗値 RA ）は、抵抗 20 に並列に接続したとき、これらの合成抵抗値が 205 mA の定電流 I に対応した抵抗値 R205 になるように、してある。即ち、R205 ＝ R160 × RA ÷（ R160＋ RA ）が成立するような抵抗値にしてある。
【００１２】
従って、スイッチ 22 をオフにしておけば定電流値 160 mA 仕様の TV カメラに対応させ、オンにすれば定電流値 205 mA 仕様のカメラに対応させることができることになり、仕様が異なったカメラに対しても、同じ電源部 4 を用いて常に消費電力の最適化が得られることになる。
【００１３】
【特許文献１】平成７年特許願第２９８２５２号公報
【発明の開示】
【発明が解決しようとする課題】
【００１４】
上記従来技術では、スイッチが適切に操作されていることの確認に配慮がされておらず、誤操作の防止に問題がある欠点があった。
例えば、160 mA 仕様の TV カメラに対して、205 mA のスイッチ設定で動作させたとしても、直ちに異常が発生する訳ではない。従って、スイッチ操作の確認を怠ると、160 mA 仕様の TV カメラに対して、205 mA 仕様の TV カメラに対応して電力を供給してしまう欠点があった。
そうすると、この場合は、シャントレギュレータ 17 に過電流が流れたままになって大きな発熱を伴い、長く放置されてしまうと故障の可能性が生じてしまう。そして、この場合であっても、特に異常であることが報知がされないので、誤操作が防止できない欠点があった。
【００１５】
本発明の目的は、上記のような欠点を除去し、定電流切換用スイッチの誤操作が容易に防止できるようにしたシステムを提供することにある。
また、本発明の他の目的は、定電流切換用スイッチの切換操作を不要にできるようにしたシステムを提供することにある。
【課題を解決するための手段】
【００１６】
上記の目的を達成するため、本発明の撮像システムは、撮像部と電源分離部と電源部とを備え、電源部の定電流源から映像信号伝送用の線路を介して撮像部に直流電力を供給する方式の撮像システムにおいて、電源分離部に、撮像部に供給される定電流値を検出する電流検出比較回路と、電流検出比較回路の出力により動作する時定数回路と、時定数回路の出力信号により動作するスイッチ回路を設け、電流検出比較回路は、撮像部に供給される定電流値が予め設定してある基準電流値を越えたとき検知信号を発生し、時定数回路は、検知信号が入力されたときから所定時間が経過するまで出力信号を発生し、スイッチ回路は、出力信号が入力されたとき撮像部に対する電力の供給を遮断するようにしたものである。
【００１７】
同じく上記他の目的を達成するため、本発明の撮像システムは、電源部が、更に線路の電圧を検出する電圧検出回路と、定電流値を大小２種に切換える定電流値切換回路を備え、電圧検出回路は、線路の電圧が所定の周期で変化したとき切換信号を発生し、定電流値切換回路は、切換信号が発生したとき、定電流値を大小２種の内の小さい方に切換えるようにしたものである。
【００１８】
また本発明の撮像システムは、撮像部と電源分離部と電源部を備え、電源部の定電流源から映像信号伝送用の線路を介して撮像部に直流電力を供給する方式の撮像システムにおいて、電源分離部に、撮像部に供給される定電流値が任意に設定した電流以上で電流制限する電流制限回路と、撮像部の映像出力兼電源入力端子の電圧を任意に設定した電圧と比較する比較回路と、その比較結果が比較電圧を超えた時、撮像部への電力供給を停止する遮断回路からなるものである。
【発明の効果】
【００１９】
上記手段によれば、例えば１６０ｍＡ仕様のカメラが２０５ｍＡの定電流で駆
動されたとすると、撮像装置の電源が自動的にオン、オフを繰り返すようになるので、直ちに誤操作が認識でき、必要な対応をとることができる。
また、上記手段によれば、撮像装置の電源がオン、オフを繰り返すようになると、電源部の定電圧値が自動的に変更されるので、そのまま撮像動作を継続させることができる。
【発明を実施するための最良の形態】
【００２０】
以下、本発明による撮像システムの実施形態を、図１と図２により詳細に説明する。
図１は、本発明の第１の実施形態を示す図、本発明の一実施例の撮像システムの構成を示すブロック図である。1A は消費電流が 160 mA 仕様の TV カメラ、2A は 160 mA 仕様の TV カメラ 1A に組合わされた電源分離部である。同軸ケーブル 3 と電源部 4′等その他は、図７で説明した従来技術による撮像システムと同じである。
また図２は、本発明の一実施例の動作を説明するための図で、動作時の電圧波形例を示している。横軸は時刻、縦軸は、図１の所定の場所での電圧レベルである。
【００２１】
図１の電源分離部 2A において、30 は電圧制御形のスイッチ、31 は定電流値検出用の抵抗、32 は定電流値検出回路、33 は時定数回路用のダイオード、34 は時定数回路用のコンデンサ、35 は時定数回路用の抵抗、36 は電圧比較器であり、その他は、これも図７で説明した従来技術による撮像システムと同じである。
【００２２】
図１において、スイッチ 30 は、例えば、アナログスイッチ等の回路素子で、電圧比較器 36 から出力される制御電圧 V3 がレベル 0 のときはオン（導通）状態に保たれ、所定のレベル以上になったときにオフ（遮断）される、いわゆるノーマリークローズド（常閉）形の電子スイッチである。
抵抗 31 はいわゆるシャント抵抗で、電源部 4′から TV カメラ 1A に供給される定電流 I を電圧（電圧降下）Vx に変換する。検出された電圧 Vx は定電流値検出回路 32 に入力される。
【００２３】
オペレータの指示による電源投入時には、電源部 4′は、定電流 I を端子 7 、同軸ケーブル 3 、及び端子 6 を介して電源分離部 2 に供給する。供給された電流 I は、トランジスタ 14 、抵抗 15 、コンデンサ 16 及びシャントレギュレータ 17 で構成された定電圧回路により、例えば、電圧 20 V の定電圧 V1 となって TV カメラ 1 に直流電圧 Ecc が供給される。
このとき、カメラ電源分離部 2A は、205 mA の電流を検出すると、抵抗 35 とコンデンサ 34 の時定数で決まる周期 T0 でスイッチ 30 がオン、オフを繰り返す。
【００２４】
もし、電源部 4′のスイッチ 22 が、図示のようにオフにされていた場合、TV カメラ側に供給される定電流 I の値は 160 mA になるので、シャントレギュレータ 17 の損失は仕様範囲内にとどまる。
また、電源分離部 2A のシャント抵抗 31 に流れる電流値も 160 mA になるので、定電流値検出回路 32 からパルスは発生されない。従って、V2 ず、この結果、スイッチ 30 はオンに保たれたままである。
【００２５】
従って、このときは、TV カメラ 1A による撮像動作はそのまま続行され、且つ、シャントレギュレータ 17 の発熱も仕様範囲内に収まり、このままで正常に動作が継続されることになる。
【００２６】
一方、このとき、当初から、或いは誤操作により、電源部 4′のスイッチ 22 が図示とは反対にオンになっていたとすると、今度は TV カメラ側に供給される定電流 I の値は 205 mA になってしまう。
この結果、シャントレギュレータ 17 の損失は仕様範囲を越え、このまま動作が継続されてしまったとすると加熱の虞れが生じてしまうが、このときは、電源分離部 2A のシャント抵抗 30 に流れる電流値が 205 mA になるので、定電流値検出回路 32 からパルスが発生される。
【００２７】
図１において、TV カメラ 1A に 205 mA の定電流 I が供給された場合には、TV カメラ 1A の電源がオンとオフを繰り返すことになり、この結果、TV カメラ 1A に接続されている図示しないモニタ 18 の表示画面では、所定の周期 T0 で映像が映出されたり消滅したりされてしまうようになり、いやでも目についてしまうようになる。
【００２８】
このときの電源がオン／オフする周期 T0 は、操作者（オペレータ）の目につき易くするため、通常、１秒程度にされ、このため、コンデンサ 34 の静電容量と抵抗 35 の抵抗値で決まる時定数が、上記した所定値に設定されている。
【００２９】
従って、上記実施形態によれば、電源部 4′を  205 mA の定電流に設定したままで、つまりスイッチ 22 をオンしたままで、160 mA 仕様の TV カメラに接続してしまったとしても、このことは、モニタ画面から直ちにオペレータが認識でき、この結果、操作者による適切な対応が可能になり、無駄な電力消費や過熱による異常の発生を未然に防止することができる。
【００３０】
また、この結果、同じくこの実施形態によれば、205 mA 仕様の電源部を誤って TV カメラ 1A 、つまり 160 mA 仕様の TV カメラに接続してしまったときでも、直ちに認識できるので、やはり無駄な電力消費や過熱による異常の発生を未然に防止することができる。
そして、これらの工夫により、上記実施形態によれば、今後の省電力化した TV カメラへのスムーズな移行を、旧形 TV カメラの混在のもとでも容易に進めることができる。
【００３１】
次に、本発明の第２の実施形態について、図３により説明する。ここで、この図３の実施形態は、図１で説明した本発明の実施形態における電源部 4′に代えて、電源部 4A を設けたものであり、その他、TV カメラ 1A と電源分離部 2A は図１の実施形態と同じである。
【００３２】
また、電源部 4A においても、図１の電源部 4′と異なっている点は、手動のスイッチ 22 に代えて電子スイッチ 40 を設け、更に電圧比較器 41 と時間計測回路 42 を設けて電圧検出回路とした上で、時間計測回路 42 の計時出力 V6 により電子スイッチ 40 のオンオフを制御するようにしたものである。
【００３３】
まず電子スイッチ 40 は、電源分離部 2A におけるスイッチ 30 と同じくノーマリークローズド形の電子スイッチで、時間計測回路 42 の計時出力 V6 が現れているときだけオフになり、これにより電源部 4A から出力される定電流 I の値をオンのときの 205 mA からオフしたときの 160 mA に切換える。
【００３４】
次に、電圧比較器 41 は、同軸ケーブル 3 に現れる線路電圧 V4 を基準電圧 VB と比較し、線路電圧 V4 が基準電圧 VB 以下のとき、つまり V4 ≦ VB になっているとき、比較信号 V5 発生する。
そして、時間計測回路 42 は、比較信号 V5 が発生したとき、その周期を基準周期と比較し、所定の許容差内になったとき計時信号 V6 を発生し、以後、この状態を保持し、計時信号 V6 が発生したままに保つ。
【００３５】
また、電源部 4A の電子スイッチ 40 はノーマリークローズド形なので、電源立ち上げ時、TV カメラ側には 205 mA の定電流 I が供給されてしまい、この結果、これも上記したように、TV カメラ側にある電源分離部 2A では、205 mA の定電流 I を検出した結果、電子スイッチ 30 が１秒程度の周期 T0 でオン、オフを開始する。
この結果、線路電圧 V4 、つまり同軸ケーブル 3 に、電源部 4A の定電流回路から供給されている定電流 I により現れている電圧が、20 V 近傍と 35 近傍に周期的に変化する。
【００３６】
このとき電圧 V4 が変化するのは、電源分離部 2A の電子スイッチ 30 がオン、オフされるからであり、ここでオン時に電圧 V4 が 20 V 近傍になるのは、TV カメラ 1A に供給される直流電圧 ECC が、シャントレギュレータ 17 で 20 V に調整されているからであり、且つ、オフ時に 35 V近傍になるのは、電源部 4A の直流電源 VCC が 35 V にしてあるからである。
【００３７】
そこで、電圧比較器 41 の基準電圧 VB を、20 V から 35 V の間、つまり20 V ＞ VB ＞ 35 V になるように、例えば 25 V 近傍の電圧に設定することにより、この電圧比較器 41 から、周期的に変化する比較信号 V5 が発生され、これが時間計測回路 42 に入力される。
そして、時間計測回路 42 は、比較信号 V5 の周期が基準周期 T0 に対して所定の偏差内になったとき、計時信号 V6 を発生し、それ以降、電子スイッチ 40 はオフされ、定電流 I を 160 mA に切換える。
【００３８】
従って、この図３の実施形態によれば、TV カメラが 205 mA 仕様であったときはそのままであるが、160 mA 仕様の TV カメラ 1A の場合は、電子スイッチ 40 により、電源部 4A から出力される定電流 I が当初の 205 mA から 160 mA に自動的に切換えられるので、何らの配慮も要すること無く、そのまま動作を継続させることができる。
【００３９】
図１で説明した実施形態の場合、手動のスイッチ 22 をオンのまま動作を開始させたとすると、モニタ画面での画像表示が異常になることから、誤操作が認識でき、操作者が対応できるようにして問題が解決できる。
しかし、モニタが接続されてない場合や、モニタの電源が入っていないと
きは、この判断がつかないので、例えば TV カメラの設営時などに、長時間、この異常状態で放置されることがある。
【００４０】
この場合、TV カメラの電源がオン、オフの繰り返しになるので、回路にストレスがかかって故障発生の可能性が生じ、また、設営時には、必ず TV カメラに合わせてスイッチ 22 を設定する必要があり、取り扱いが面倒である。
しかしながら、図３の実施形態によれば、TV カメラが 205 mA 仕様であったときはそのままで何らの支障も生じ無いのは勿論として、160 mA 仕様の TV カメラ 1A の場合でも、自動的に電子スイッチ 40 が切換えられるので、何らの配慮も要せず、常にそのまま動作させることができる。
【００４１】
従って、この図３の実施形態によれば、回路にストレスによる故障発生の虞れがなく、面倒なスイッチの設定も不要になるので、短時間で簡単に、且つ容易に TV カメラを設営することができる。
【００４２】
上記した実施形態における時間計測回路 42 としては、例えば、内蔵タイマーを利用したマイコンのプログラム動作により、比較信号 V5 の周期がＴ0（約 1 秒）近傍の所定の許容差内になったとき、計時信号 V6 を発生するようにすればよく、この場合、安価な１チップマイコンで容易に対応することができる。
また、別の方法として、モノステーブルマルチバイブレータなどでタイマーを構成し、論理回路で論理をとることにより、時間計測回路 42 を構成することもできる。そのような時間比較器 42 は、例えば、２個の MMV（モノステーブルマルチバイブレータ）とアンドゲート 45 、それに FF（フリップフロップ）で構成され、電圧比較器 41 から供給される比較信号 V5 の入力周期 T0 が約 0.5 秒から約 1.5 秒の間の周期でオン、オフしたとき、計時出力 V6 をハイレベルにし、電子スイッチ 22 をオフ、オンにして、TV カメラ 1A に供給される定電流値を 205 mA から 160 mA に切換える回路である。
ここで、MMV は、例えば、何れもリトリガラブル（再トリガ可能）で、まず、初段の MMV を、コンデンサと抵抗により時定数が 0.5 秒に設定し、この結果、比較信号 V5 の立上りエッジでトリガされる毎にパルス幅 0.5 秒の信号を発生する。
【００４３】
次に、２段目の MMV は、例えば、コンデンサと抵抗により、1.0 秒の時定数に設定し、これにより、初段の MMV の出力信号の立下りエッジでトリガされる毎にパルス幅 1 秒の信号を発生する。
また、アンドゲートは、例えば、２段目の MMV の出力信号と比較信号 V5 の論理積をとり、アンド出力を発生して FF に供給する働きをし、FF は、抵抗とコンデンサにより、電源投入時にリセットされ、以後、アンド出力が入力されたとき、計時出力 V6 を発生し、それを保持する。
【００４４】
前述の本発明の第１と第２の実施例では、電流を検出ために検出用抵抗 31 の両端の微少電圧変化を検出する必要があり、高精度な電圧比較回路を組む必要があり、回路が複雑でかつ高価になる。
本発明の次の実施例は、小規模かつ安価な回路で過電流時に回路の供給電流を完全に遮断し、誤って高電流側に電流切換えスイッチ 25 の設定した場合でも故障しない保護回路を追加した。
【００４５】
即ち、本発明の第３の実施例では、電流検出用の比較器のかわりにトランジスタ 14 とシャントレギュレータで構成した電流制限回路を追加し、一定電流以上の電流が供給された時、電流制限効果による出力端子の直流電圧が上昇するようにした。この電圧上昇を、ツェナーダイオードを利用した電圧比較器で過電圧を検出して最終的にトランジスタ 14 をオフして電源を遮断するようにした。
【００４６】
以下この発明の一実施例を図４と電圧波形、図５により説明する。図４は本発明の一実施例の構成を示すブロック図で、図５は本発明の一実施例の動作を説明するための図で、動作時の電圧波形例を示している。横軸は時刻、縦軸は、図４の所定の場所での電圧レベルである。図５(a) は正常動作時の動作を説明するための図で、図５(b) は過電流保護動作時の動作を説明するための図である。
【００４７】
前述した電流検出用抵抗 31 をシャントレギュレータ 48 のアノード A と基準電圧参照端子 REF に接続し、カソード K をトランジスタ 14 のベースに接続して、シャントレギュレータ 48 とトランジスタ 14 、抵抗 31 により電流制限回路を構成する。この場合、制限電流はシャントレギュレータ 48 の基準電圧 VREF と抵抗（抵抗値 R ）31 で決まる電流 I ＝ VREF ／ R で制限される。この制限電流を本例では 160 mA と 205 mA の中間の例えば 190 mA に設定すると、205 mA で動作する TV カメラを接続した時、回路電流 I は 190 mA で電流制限され、供給側が定電流駆動であるため、結果出力端子の電圧 V4 は図１の供給側電源 2A のトランジスタ 12 ベース電圧 VB まで上昇する。この電圧上昇をツェナーダイオード 50 、LED 51 、抵抗 47 、43 、45 、MOS トランジスタ 44 で構成した電圧比較回路で検出しトランジスタ 14 をオフして入力を遮断して回路電圧 V1 をオフするようにした。ここで回路を遮断する電圧は、ツェナーダイオード 50 のツェナー電圧 VZ で決定し、ここでは 22 V 以上になったら抵抗 47 に電流が流れ、MOS トランジスタ 44 のゲート電圧を上昇させ、MOS トランジスタ 44 をオンさせてトランジスタ 14 のベース電圧を強制的に 0 V まで落とすことで回路を遮断するようにしている。また、この時 LED 51 に電流が流れ点灯することから、過電流で回路がシャットオフしている警報として利用できる。
【００４８】
図５(a) は正常動作時、160 mA の TV カメラを接続した時の電源投入時の電圧波形を示す。出力端子電圧 V4 は電流制限 190 mA に満たないめ、ツェナーダイオード 50 のツェナー電圧 VZ にならず、TV カメラの供給電圧 V1 は所定の電圧になる。
一方、図５(b) は過電流動作時、205 mA の TV カメラを接続した時の動作を示す。電源を投入すると出力端子電圧 V4 は電流制限 190 mA を超えるため、供給電源側の最大電圧まで上昇する。その仮定でツェナー電圧 VZ（ 22 V ）を超えるためツェナーダイオード 50 に電流が流れ、LED 51 が点灯し、抵抗 43 とコンデンサ 46 の時定数で少し（時間 TD ）だけ遅らせて MOS トランジスタ 44 をオン、トランジスタ 14 をオフして電源を遮断する。
ここで時間 TD だけ遅延させる理由は、TV カメラの内部電源回路起動用のラッシュ電流で誤動作しないように設けている。ラッシュ電流が時間 TD 内になるように抵抗 43 とコンデンサ 46 の時定数を決定する。
【００４９】
以上のように、本発明によれば定電流駆動のシングルケーブル電源重畳方式の TV カメラで駆動電流値の高い TV カメラを検出し、従来の電流値の大きい TV カメラを誤って接続した時に TV カメラの故障に至らないように保護する回路が安価に構成でき、設営時のトラブルを低減できる。また今後主流となる省電力化した TV カメラへのスムーズな移行を可能になる。
【図面の簡単な説明】
【００５０】
【図１】本発明の一実施例の撮像システムの構成を示すブロック図。
【図２】本発明の一実施例の動作を説明するための図。
【図３】本発明の一実施例の撮像システムの構成を示す図。
【図４】本発明の一実施例の撮像システムの構成を示す図。
【図５】本発明の一実施例の動作を説明するための図。
【図６】従来のシステムの構成例を示すブロック図。
【図７】従来のシステムの他の構成例を示すブロック図。
【符号の説明】
【００５１】
1，1A：TVカメラ、  2，2A：電源分離部、  3：同軸ケーブル、  4，4′，4A：電源部、  5：コンデンサ、  6，7：端子、  8：コンデンサ、  9：増幅器、  10：映像接続用コネクタ、  11：抵抗、  12：トランジスタ、  14：トランジスタ、  15：抵抗、  16：コンデンサ、  17：シャントレギュレータ、  18：映像モニタ、  20，21：抵抗、  22：スイッチ、  30：スイッチ、  31：抵抗、  32：定電流値検出回路、  33：ダイオード、  34：コンデンサ、  35：抵抗、  36：電圧比較器、  40：電子スイッチ、  41：電圧比較器、  42：時間計測回路、  43，45，47：抵抗、  44：MOSトランジスタ、  46：コンデンサ、48：シャントレギュレータ。
【図１】
2005229271.tif 000003
【図２】
2005229271.tif 000004
【図３】
2005229271.tif 000005
【図４】
2005229271.tif 000006
【図５】
2005229271.tif 000007
【図６】
2005229271.tif 000008
【図７】
2005229271.tif 000009